(57)【要約】      （修正有）【課題】端子台全体を大型化することなく、螺着部材とネジ止め孔との間の螺合ストロークを効果的に増大して、端子台の使用利便性を高めるスイッチ結線端子台構造を提供する。【解決手段】スイッチ結線端子台構造は、ハウジング１を備えており、前記ハウジング１内には少なくとも一つの通電端子が設けられており、且つ通電端子はネジ止め孔４１１、４２１を有する。前記ネジ止め孔４１１、４２１はハウジング１内に設けられている収容孔に直通しており、前記収容孔は前記ハウジング１内に設けられている線挿入口に交差して連通しており、前記収容孔内には前記ネジ止め孔４１１、４２１に螺着可能な螺着部材５１、５２が設けられ、螺着部材５１、５２には金具６１、６２が装着されており、前記収容孔の内壁は、前記螺着部材５１、５２の螺合方向に対して、ガイド溝１５１、１６１が延在して設けられ、しかも前記金具６１、６２上にガイド溝１５１、１６１に摺設するガイド部６１１が、螺着部材５１、５２が螺合するのとは反対方向に延在している。【選択図】図４
0003198296.tif 000002
【実用新案登録請求の範囲】
【請求項１】
スイッチ結線端子台構造であって、ハウジングを備えており、前記ハウジング内には少なくとも一つの通電端子が設けられており、且つ通電端子はネジ止め孔を有しており、前記ネジ止め孔は前記ハウジング内の収容孔の一端に設けられており、前記収容孔は前記ハウジング内に設けられている線挿入口に交差して連通しており、前記収容孔内には前記ネジ止め孔に螺着可能な螺着部材が設けられるとともに、螺着部材には金具が装着されており、
前記収容孔の内壁は、前記螺着部材が前記ネジ止め孔に螺着するのとは反対方向に、少なくとも一つのガイド溝が延在して設けられており、しかも前記金具上にて、前記螺着部材が前記ネジ止め孔に螺合するのとは反対方向に、前記ガイド溝に摺設する少なくとも一つのガイド部が延在して形成されている、ことを特徴とするスイッチ結線端子台構造。
【請求項２】
前記金具は前記収容孔とは偏っている押さえ部が前記収容孔の径方向に向けて延在して形成されており、しかも収容孔の隣側には前記螺着部材を前記ネジ止め孔に螺合するのとは反対方向に前記押さえ部を駆動可能な付勢手段が設けられている、請求項１に記載のスイッチ結線端子台構造。
【請求項３】
前記ハウジングには、外側から前記ハウジング内に延在している押しボタンが可動的に配置されており、しかもハウジング内には前記押しボタンに結合されている導電性素子が設けられており、前記通電端子の両端はそれぞれ前記ネジ止め孔及び前記導電性素子に対応するコンタクト部を有しており、前記導電性素子は前記押しボタンに連動されて前記コンタクト部に切り離し可能に接触する、請求項２に記載のスイッチ結線端子台構造。
【請求項４】
前記コンタクト部及び導電性素子の押動経路はいずれも付勢手段の所在位置に対して偏って設けられている、請求項３に記載のスイッチ結線端子台構造。
【請求項５】
前記ハウジング内には前記付勢手段を収容する偏位室が画成されており、前記偏位室と前記収容孔の内壁との間は、前記螺着部材が前記ネジ止め孔に螺合する方向に延在しているストローク空間に連通しており、前記押さえ部は前記ストローク空間を介して前記偏位室に進入して前記付勢手段により駆動されるとともに、前記ストローク空間は前記押さえ部が前記金具を連動して前記収容孔にて前記螺着部材が前記ネジ止め孔に螺合する経路で往復移動するように案内する、請求項２ないし４の何れか一項に記載のスイッチ結線端子台構造。
【請求項６】
前記ハウジング内の前記収容孔とストローク空間との間にはストッパが設けられており、前記押さえ部が屈曲形態をなして前記ストッパを回り込み前記ストローク空間に差し込まれる、請求項５に記載のスイッチ結線端子台構造。
【請求項７】
前記コンタクト部及び導電性素子の両者と付勢手段との間には、前記偏位室を画成するセパレータが設けられている、請求項５又は６に記載のスイッチ結線端子台構造。
【請求項８】
前記ハウジングは前端と、前記前端とは反対側の後端と、前記前端及び後端の両側に位置している二つの側端とを有しており、前記押しボタンは前記前端に配置されており、前記通電端子は前記押しボタンの両側に位置する第１の通電端子と第２の通電端子とを備えており、前記導電性素子は前記第１の通電端子と第２の通電端子との間に位置しており、前記収容孔は前記後端に連通しており、前記線挿入口は前記側端に連通している、請求項３ないし７の何れか一項に記載のスイッチ結線端子台構造。
【請求項９】
前記螺着部材がネジであり、前記付勢手段がスプリングであり、前記金具の押さえ部及びガイド部はいずれもネジのネジ頭部側に設けられている、請求項２ないし８の何れか一項に記載のスイッチ結線端子台構造。
【請求項１０】
前記ガイド溝は前記収容孔の内壁に設けられており、前記ガイド部は前記金具が前記ガイド溝に対応する関係である側縁部に設けられている、請求項１ないし９の何れか一項に記載のスイッチ結線端子台構造。
【考案の詳細な説明】
【技術分野】
【０００１】
本考案はスイッチ結線端子台構造に関し、特に端子台についてリード線端子のネジ止めに用いられるネジ止め構造の改良であり、とりわけ端子台を大型化することなく、螺着部材とネジ止め孔との間に十分な隙間を保持して、丸形リード線端子を用いた端子台構造に有利となり、使用利便性を高める。
【背景技術】
【０００２】
スイッチ結線端子台は通電端子を有する電源スイッチング要素であって、電子及び電気分野の回路系に応用されており、主に電子、電気設備の操作パネル又は配電盤の内側に取付けられて、電子、電気設備の配線回路の接続に用いられる。このスイッチ結線端子台は、操作パネル又は配線盤の表面に露出している押しボタンを備えており、しかもスイッチ結線端子台は電子、電気設備内部にてその他配線回路のスイッチ結線端子台に結合することで、操作者が押しボタンを押下して、各配線回路の通電又は遮断を操作、調整し、回路の電源をオン又はオフする作用を備えている。
【０００３】
従来のスイッチ結線端子台の断面図である図１を参照されたい。この説明によると、前記端子台はハウジング１ａを備えており、前記ハウジング１ａの前端には押しボタン２ａが可動的に配置されており、且つ押しボタン２ａはハウジング１ａ内に延在してスプリング２１ａの弾発力が付与されている。前記ハウジング１ａ内には押しボタン２ａの両側に位置している第１の通電端子４１ａ及び第２の通電端子４２ａと、第１の通電端子４１ａと第２の通電端子４２ａとの間に配置されている導電性素子３ａとが設けられており、且つ導電性素子３ａは押しボタン２ａに結合されている。前記第１の通電端子４１ａ、第２の通電端子４２ａの両端はそれぞれネジ止め孔４１１ａ、４２１ａと、導電性素子３ａに対応するコンタクト部４１２ａ、４２２ａを備えており、押しボタン２ａを押下することで、導電性素子３ａが押しボタン２ａにより連動して第１の通電端子４１ａ及び第２の通電端子４２ａのコンタクト部４１２ａ、４２２ａに接離して、第１の通電端子４１ａと第２の通電端子４２ａとを通電又は遮断することができる。
【０００４】
また、前記ハウジング１ａの後端には二つの収容孔１５ａ、１６ａが設けられており、それぞれ第１の通電端子４１ａ及び第２の通電端子４２ａのネジ止め孔４１１ａ、４２１ａに連通するとともに、ハウジング１ａの両側端にはそれぞれ線挿入口１７ａ、１８ａが設けられており、それぞれ収容孔１５ａ、１６ａと交差して連通している。しかも、前記収容孔１５ａ、１６ａ内にはネジ止め孔４１１ａ、４２１ａに螺着可能なネジ５１ａ、５２ａが配置されている。使用に際しては、外部のリード線端子をネジ５１ａ、５２ａの外周に固定し、次にネジ５１ａ、５２ａを第１の通電端子４１ａ、第２の通電端子４２ａのネジ止め孔４１１ａ、４２１ａに螺入することで、第１の通電端子４１ａ、第２の通電端子４２ａが電気的に接続することができる。
【０００５】
しかしながら、外部の各種タイプのリード線端子９１ａ、９２ａ（Ｙ形及び丸形を含む）をネジ５１ａ、５２ａの外周に汎用的に固定することができるようにするためには、前記ネジ５１ａ、５２ａの末端とネジ止め孔４１１ａ、４２１ａとの間に、未緊締状態で充分な隙間Ｈを残して、丸形リード線端子を含む各種タイプのリード線端子９１ａ、９２ａをネジ５１ａ、５２ａの外周に挿入させて固定するのに適応させる必要がある。
【０００６】
収容孔１５ａ、１６ａと線挿入口１７ａ、１８aとは交差して連通していることから、ネジ５１ａ、５２ａがネジ止め孔４１１ａ、４２１ａから緩んで外れた後、ネジ５１ａ、５２ａが線挿入口１７ａ、１８ａなどの方向に傾斜して、そしてネジ５１ａ、５２ａの螺着端がネジ止め孔４１１ａ、４２１ａの対応位置から偏って離れやすくなり、再度ネジ５１ａ、５２ａをネジ止め孔４１１ａ、４２１ａに螺着させたいときには、ネジ５１ａ、５２ａをネジ止め孔４１１ａ、４２１ａに位置合わせして螺着することが難しくなる事態が発生して、ネジ５１ａ、５２ａはネジ止め孔４１１ａ、４２１ａに螺入させにくくなるという不具合が発生しやすくなる。
【０００７】
これに鑑みて、従来のスイッチ結線端子台でもまたネジ５１ａ、５２ａ上に補正案内用の金具６１ａ、６２ａ（つまり、パッド、ワッシャ）を装着する設計を備えており、通常は収容孔１５ａ、１６ａの側面がネジ止め孔４１１ａ、４２１ａ方向に延在しているガイド溝１５１ａ、１６１ａに連通するとともに、金具６１ａ、６２ａの縁部からネジ止め孔４１１ａ、４２１ａへの方向にガイド溝１５１ａ、１６１ａに摺設されているガイド条６１１ａ、６２１ａが延在して形成されることで、ネジ５１ａ、５２ａを金具６１ａ、６２ａを介してガイド条６１１ａ、６２１ａとガイド溝１５１ａ、１６１ａにより案内してネジ止め孔４１１ａ、４２１ａに位置合わせするようにしている。ところがこの場合、ガイド溝１５１ａ、１６１ａ及びガイド条６１１ａ、６２１ａはいずれも導電性素子３ａ、第１の通電端子４１ａ及び第２の通電端子４２ａのコンタクト部４１２ａ、コンタクト部４２２ａの方向に延在して設けられていることから、もし接近しすぎると、導電性素子３ａ、第１の通電端子４１ａ及び第２の通電端子４２ａのコンタクト部４１２ａ、４２２ａと干渉しやすくなり、もし干渉を充分に回避するためには、ハウジング１ａの高さを増加させなければならず、ハウジング１ａがいたずらに大型化し、本体小型化の進化に不利となるという欠点がある。
【０００８】
さらに、ネジ５１ａ、５２ａがネジ止め孔４１１ａ、４２１ａから外れた後、必ずしも前記ネジ５１ａ、５２ａがネジ止め孔４１１ａ、４２１ａから離れるとは限らず、特にハウジング１ａの押しボタン２ａ端が下方に向いて、そして収容孔１５ａ、１６ａを上方に開放している場合には、前記ネジ５１ａ、５２ａは重力の影響を受けてネジ止め孔４１１ａ、４２１ａから離れることができず、ネジ５１ａ、５２ａの末端と各々ネジ止め孔４１１ａ、４２１ａに対応する間に隙間Ｈを維持できない状態となり、丸形のリード線端子９１ａ、９２ａがネジ５１ａ、５２ａと第１の通電端子４１ａ、第２の通電端子４２ａとの間に進入できないという不具合が生じてしまう。前記問題を解決するために、従来のスイッチ結線端子台でもスプリングによりネジ５１ａ、５２ａを緩めたときに付勢して、常態的にネジ止め孔４１１ａ、４２１ａから離れる方向で移動させる設計、例えばスプリング７０ａをガイド溝１５１ａ内に設けることで、スプリング７０ａがガイド条６１１ａ及び金具６１ａにてネジ５１ａをネジ止め孔４１１ａから離れる方向に移動するように連動するというものがある。しかし上記のように、ガイド溝１５１ａ、スプリング７０ａ及びガイド条６１１ａと、導電性素子３ａ、第１の通電端子４１ａ及び第２の通電端子４２ａのコンタクト部４１２ａ、４２２ａとの干渉を回避するためには、同様にハウジング１ａが大型化するとともに、上記不具合が発生してしまうという欠点がある。
【考案の概要】
【考案が解決しようとする課題】
【０００９】
そこで、本考案の主な目的は、端子台全体を大型化することなく、螺着部材とネジ止め孔との間の螺合ストロークを効果的に増大して、丸形を含む各種タイプのリード線端子を有する端子台構造を使用しやすくすることで、上記した従来の端子台構造における諸々の欠陥を改善するスイッチ結線端子台構造を提供するところにある。
【課題を解決するための手段】
【００１０】
上記目的を達成するために、本考案のスイッチ結線端子台構造は、ハウジングを備えており、前記ハウジング内には少なくとも一つの通電端子が設けられており、且つ通電端子はネジ止め孔を有しており、前記ネジ止め孔は前記ハウジング内の収容孔の一端に設けられており、前記収容孔は前記ハウジング内に設けられている線挿入口に交差して連通しており、前記収容孔内には前記ネジ止め孔に螺着可能な螺着部材が設けられるとともに、螺着部材には金具が装着されており、
前記収容孔の内壁は、前記螺着部材が前記ネジ止め孔に螺着するのとは反対方向に、少なくとも一つのガイド溝が延在して設けられており、しかも前記金具上にて、前記螺着部材が前記ネジ止め孔に螺合するのとは反対方向に、前記ガイド溝に摺設する少なくとも一つのガイド部が延在して形成されている。
【００１１】
前記金具は前記収容孔とは偏っている押さえ部が前記収容孔の径方向に向けて延在して形成されており、しかも収容孔の隣側には前記螺着部材を前記ネジ止め孔に螺合するのとは反対方向に前記押さえ部を駆動可能な付勢手段が設けられている。
【００１２】
前記ハウジングには、外側から前記ハウジング内に延在している押しボタンが可動的に配置されており、しかもハウジング内には前記押しボタンに結合されている導電性素子が設けられており、前記通電端子の両端はそれぞれ前記ネジ止め孔及び前記導電性素子に対応するコンタクト部を有しており、前記導電性素子は前記押しボタンに連動されて前記コンタクト部に切り離し可能に接触する。前記螺着部材がネジであり、前記付勢手段がスプリングである。
【００１３】
上記により、使用に際しては、まず螺着部材をネジ止め孔から緩めると、螺着部材が前記金具の押さえ部に伴って、前記付勢手段により前記螺着部材が前記ネジ止め孔に螺合するのとは反対方向へ駆動される。同時に、螺着部材は前記金具のガイド部に伴って、前記収容孔の内壁のガイド溝にて前記螺着部材が前記ネジ止め孔に螺合するのとは反対方向に案内されて、前記螺着部材が前記ネジ止め孔から離れることで前記通電端子との間に隙間が形成される。続いて、外部に電線が圧着されている各種タイプのリード線端子を線挿入口から収容孔内に挿入して、各種タイプのリード線端子を、前記螺着部材と通電端子との間に挿入するとともに、螺着部材を前記ネジ止め孔に螺着し直して、前記リード線端子を螺着部材の外周に固定して、前記螺着部材を介して前記通電端子に電気的に接続する。このように、前記押しボタンを押下することで、導電性素子が押しボタンにより連動して前記コンタクト部に接離して、通電端子と導電性素子とを通電又は遮断する。
【００１４】
これにより、前記金具のガイド部が、前記螺着部材が前記ネジ止め孔に螺合するのとは反対方向に延在して形成されて、そして前記金具が収容孔の径方向に偏って延在して形成されている押さえ部によって、ガイド部がネジの持ち上がりを案内するためのストロークは、既存のネジ頭部が通過すべき経路と重複していることから、従来のネジのガイド条及びスプリングと通電端子との間にて端子台全体を大型化させない状況で干渉が生じてしまうという不具合を根本的に途絶して、製品全体の寸法をコンパクトに維持するのに有利である。
【００１５】
上記主な構造的特徴によれば、前記ハウジングは前端と、前記前端とは反対側の後端と、前記前端及び後端の両側に位置している二つの側端とを有しており、前記押しボタンは前記前端に配置されており、前記通電端子は前記押しボタンの両側に位置する第１の通電端子と第２の通電端子とを備えており、前記導電性素子は前記第１の通電端子と第２の通電端子との間に位置しており、前記収容孔は前記後端に連通しており、前記線挿入口は前記側端に連通している。前記ガイド溝は前記収容孔の内壁に設けられており、前記ガイド部は前記金具が前記ガイド溝に対応する関係である側縁部に設けられている。このように、前記金具がそれぞれ各ガイド部を介して前記収容孔の両側内壁のガイド溝により案内されて、前記螺着部材を安定的に移動させる。
【００１６】
上記主な構造的特徴によれば、前記ハウジング内には前記付勢手段を収容する偏位室がセパレータで画成されており、前記偏位室と収容孔の内壁との間は、前記螺着部材が前記ネジ止め孔に螺合する方向に延在しているストローク空間に連通しており、前記押さえ部は前記ストローク空間を介して前記偏位室に進入して前記付勢手段により駆動されるとともに、ストローク空間は前記押さえ部が前記金具を連動して前記収容孔にて螺着部材が前記ネジ止め孔に螺合する経路で往復移動するように案内する。前記セパレータはコンタクト部及び導電性素子の両者と付勢手段との間に設けられている。このように、前記偏位室に前記付勢手段を収容するという設計により、前記導電性素子、第１の通電端子及び第２の通電端子と、付勢手段及び押さえ部との間に干渉が生じるのを防止する効果を高めて、同時に前記偏位室と収容孔との間のストローク空間により前記金具の押さえ部を案内して、前記螺着部材の移動安定性を更に向上させることができる。
【００１７】
上記主な構造的特徴によれば、前記ハウジング内の収容孔とストローク空間との間にはストッパが設けられており、前記押さえ部が屈曲形態をなして前記ストッパを回り込み前記ストローク空間に差し込まれ、偏位室内に位置する付勢手段を、各種タイプのリード線端子が前記線挿入口から収容孔内に挿入される経路から離すことができる。このように、前記ストッパでの遮断及び偏位室を設置していることから、各種タイプのリード線端子を収容孔内に挿入するときに、付勢手段の伸縮経路と交差及び干渉することはないため、付勢手段の伸縮運動の滑らかさ及び信頼性を向上している。
【００１８】
上記主な構造的特徴によれば、前記コンタクト部及び導電性素子の押動経路はいずれも付勢手段の所在位置に対して偏って設けられており、コンタクト部及び導電性素子の押動経路に用いられる空間、及び付勢手段の設置空間がそれぞれ互いに偏る位置ずれ空間を活用することで、体積の増加を減らしている。
【００１９】
上記主な構造的特徴によれば、前記金具の押さえ部及びガイド部はいずれもネジのネジ頭部側に設けられている。よって、金具が装着されているネジであっても、ねじ切り作業時に、金具の押さえ部とガイド部との干渉を受けず、ネジをねじ切りして、金具が結合された状態で同一工程にて並行することができ、ねじ切り後に金具を組付ける煩雑な工程を節約して、生産効率を効果的に向上することができる。
【００２０】
本考案を明確に、そして充分に開示するために、好ましい実施例の図例を挙げて、その実施形態を後記の通り詳細に説明する。
【図面の簡単な説明】
【００２１】
【図１】従来のスイッチ結線端子台の断面図である。
【図２】本考案のスイッチ結線端子台構造と丸形端子との間の配置概略立体図である。
【図３】図２のスイッチ結線端子台の立体分解図である。
【図４】図３の立体分解図である。
【図５】図２のスイッチ結線端子台の断面図である。
【図６】図２のスイッチ結線端子台の平面分解図である。
【図７】図３の螺着部材と金具の配置概略図である。
【考案を実施するための形態】
【００２２】
本考案の実施形態を開示した図２、３、４を合わせて参照されたい。上記図面の説明によると、本考案のスイッチ結線端子台構造はハウジング１を備えており、前記ハウジング１は前端１１と、前記前端１１とは反対側の後端１２と、前記前端１１及び後端１２の両側に位置している二つの側端１３、１４とを有している。前記ハウジング１内にはチャンバー１０を有しており、しかもハウジング１の前端１１には押しボタン２が可動的に配置されており、前記押しボタン２は外側からチャンバー１０に延在して少なくとも一つのスプリング２１、２２の弾発力が付与されている。前記ハウジング１内には少なくとも一つの通電端子、及び押しボタン２に結合されている導電性素子３が設けられており、前記通電端子の両端はそれぞれネジ止め孔４１１、４２１と導電性素子３に対応するコンタクト部４１２、４２２とを備えており、前記ネジ止め孔４１１、４２１はハウジング１内の収容孔の一端に設けられており、前記収容孔はハウジング１内に設けられている線挿入口に交差して連通している。具体的には、前記通電端子は押しボタン２の両側に位置している第１の通電端子４１と第２の通電端子４２とを備えており、前記収容孔及び線挿入口の設置数と、通電端子の設置数とは同数であり、前記収容孔はハウジング１の後端１２に連通している第１の収容孔１５と第２の収容孔１６とを有しており、前記線挿入口はそれぞれ前記ハウジング１の両側端１３、１４に連通している第１の線挿入口１７と第２の線挿入口１８とを有している。前記第１の収容孔１５はチャンバー１０内にて第１の線挿入口１７に交差して連通するとともに、第２の収容孔１６はチャンバー１０内にて第２の線挿入口１８に交差して連通している。
【００２３】
図示するように、前記導電性素子３は第１の通電端子４１と第２の通電端子４２との間に位置しており、前記導電性素子３は前記押しボタン２により連動可能となっており、そして第１の通電端子４１と第２の通電端子４２とのコンタクト部４１２、４２２に切り離し可能に接触することで、第１の通電端子４１と第２の通電端子４２とを通電又は遮断することができる。前記第１の収容孔１５内には第１の螺着部材５１が配置されており、前記第１の螺着部材５１は第１の通電端子４１のネジ止め孔４１１に螺着可能となっており、しかも第１の螺着部材５１上には第１の金具６１が装着されている。前記第２の収容孔１６内には第２の螺着部材５２が配置されており、前記第２の螺着部材５２は第２の通電端子４２のネジ止め孔４２１に螺着可能となっており、しかも第２の螺着部材５２上には第２の金具６２が装着されている。前記第１の螺着部材５１、第２の螺着部材５２は本実施例ではネジとすることができ、前記第１の線挿入口１７は第１の収容孔１５のネジのネジ溝５１１に直線で連通しており、且つ第２の線挿入口１８は第２の収容孔１６内のネジのネジ溝５２１に直線で連通している。前記第１の金具６１及びスプリングワッシャ６３は第１の螺着部材５１（ネジ）のネジ溝５１１とネジ頭部５１２との間の周回溝５１３内に装着されるとともに、スプリングワッシャ６３が第１の金具６１とネジ頭部５１２との間に位置している（図７を合わせて参照する）。前記第２の金具６２及びスプリングワッシャ６４は第２の螺着部材５２（ネジ）のネジ溝５２１とネジ頭部５２２との間の周回溝５２３内に装着されるとともに、スプリングワッシャ６４が第２の金具６２とネジ頭部５２２との間に位置している。
【００２４】
図５を合わせて参照されたい。採用する好ましい実施例の説明によれば、前記第１の収容孔１５の内壁には少なくとも一つのガイド溝１５１が設けられており、且つ第１の収容孔１５のガイド溝１５１は前記第１の螺着部材５１が前記ネジ止め孔４１１に螺合するのとは反対方向に延在している。前記第２の収容孔１６の内壁には少なくとも一つのガイド溝１６１が設けられており、且つ第２の収容孔１６のガイド溝１６１は前記第２の螺着部材５２が前記ネジ止め孔４２１に螺合するのとは反対方向に延在している。前記第１の金具６１の縁部には少なくとも一つのガイド部６１１が形成されており、且つ第１の金具６１のガイド部６１１は前記第１の螺着部材５１が前記ネジ止め孔４１１に螺合するのとは反対方向に長尺状に延在している。前記第１の金具６１のガイド部６１１は第１の収容孔１５のガイド溝１５１内に摺設されているとともに、第１の金具６１の縁部は第１の収容孔１５の径方向に延在しており、そして第１の収容孔１５から偏って離れる押さえ部６１２を形成している。前記第２の金具６２の縁部には少なくとも一つのガイド部６２１が形成されており、且つ第２の金具６２のガイド部６２１は前記第２の螺着部材５２が前記ネジ止め孔４２１に螺合するのとは反対方向に長尺状に延在している。前記第２の金具６２のガイド部６２１は第２の収容孔１６のガイド溝１６１内に摺設されているとともに、第２の金具６２の縁部は第２の収容孔１６の径方向に延在しており、そして第２の収容孔１６から偏って離れる押さえ部６２２を形成している。前記第１の金具６１、第２の金具６２の押さえ部６１２、６２２及びガイド部６１１、６２１はいずれもネジのネジ頭部５１２、５２２側に設けられている。
【００２５】
本実施例において、前記第１の収容孔１５の両側内壁には二つのガイド溝１５１が対称に設けられるとともに、第１の金具６１は前記ガイド溝１５１に対応する関係である両側縁部に二つのガイド部６１１が対称に設けられている。前記第２の収容孔１６の両側内壁には二つのガイド溝１６１が対称に設けられるとともに、第２の金具６２は前記ガイド溝１６１に対応する関係である両側縁部に二つのガイド部６２１が対称に設けられており、第１の金具６１、第２の金具６２の両側がそれぞれ各ガイド部６１１、６２１を介して第１の収容孔１５、第２の収容孔１６の内壁のガイド溝１５１、１６１により案内されて、第１の螺着部材５１、第２の螺着部材５２を安定的に移動させる。前記第１の収容孔１５の隣側には第１の付勢手段７１が設けられるとともに、第１の付勢手段７１は前記第１の螺着部材５１が前記ネジ止め孔４１１に螺合するのとは反対方向に第１の金具６１の押さえ部６１２を駆動することができる。前記第２の収容孔１６の隣側には第２の付勢手段７２が設けられるとともに、第２の付勢手段７２は前記第２の螺着部材５２が前記ネジ止め孔４２１に螺合するのとは反対方向に第２の金具６２の押さえ部６２２を駆動することができる。前記第１の付勢手段７１、第２の付勢手段７２はスプリングとしても良い。
【００２６】
図３、４、５にも図示されるように、前記導電性素子３及び第１の通電端子４１のコンタクト部４１２と第１の付勢手段７１との間には第１のセパレータ８１が設けられるとともに、第１のセパレータ８１はチャンバー１０内で第１の付勢手段７１を収容する第１の偏位室８２を画成しており、前記第１の偏位室８２と第１の収容孔１５内壁との間は第１のストローク空間８３が連通しており、しかも第１のストローク空間８３は前記第１の螺着部材５１が前記ネジ止め孔４１１に螺合する方向に延在しており、前記第１の金具６１の押さえ部６１２は第１のストローク空間８３を介して第１の偏位室８２に進入して、第１の付勢手段７１により駆動され、しかも第１のストローク空間８３は第１の金具６１の押さえ部６１２が前記第１の金具６１を連動して第１の収容孔１５にて第１の螺着部材５１がネジ止め孔４１１に螺合する経路で往復移動するように案内することができる。該導電性素子３及び第２の通電端子４２のコンタクト部４２２と第２の付勢手段７２との間には第２のセパレータ８４が設けられるとともに、第２のセパレータ８４はチャンバー１０内で第２の付勢手段７２を収容する第２の偏位室８５を画成しており、前記第２の偏位室８５と第２の収容孔１６の内壁との間は第２のストローク空間８６が連通しており、しかも第２のストローク空間８６は前記第２の螺着部材５２が前記ネジ止め孔４２１に螺合する方向に延在しており、該第２の金具６２の押さえ部６２２は第２のストローク空間８６を介して第２の偏位室８５に進入して、第２の付勢手段７２により駆動され、しかも第２のストローク空間８６は第２の金具６２の押さえ部６２２が前記第２の金具６２を連動して第２の収容孔１６にて第２の螺着部材５２がネジ止め孔４２１に螺合する経路で往復移動するように案内することができる。
【００２７】
前記第１のセパレータ８１はハウジング１の一方のチャンバー１０内に位置する第１のストッパ８７が延在して形成されて、第１のストッパ８７を第１の収容孔１５と第１のストローク空間８３との間に位置させており、前記第１の線挿入口１７の線挿入経路は直接第１のストッパ８７により遮断されて第１のストローク空間８３に直通しなくなる。前記第２のセパレータ８４はハウジング１の他方のチャンバー１０内に位置する第２のストッパ８８が延在して形成されて、第２のストッパ８８を第２の収容孔１６と第２のストローク空間８６との間に位置させており、前記第２の線挿入口１８の線挿入経路は直接第２のストッパ８８により遮断されて第２のストローク空間８６に直通しなくなる。前記第１の金具６１の押さえ部６１２はＬ字状の屈曲形態をなして第１のストッパ８７を回り込み第１のストローク空間８３に差し込まれて、第１の金具６１の押さえ部６１２及び第１の偏位室８２内に位置する第１の付勢手段７１を、リード線端子が第１の線挿入口１７から第１の収容孔１５内に挿入される経路以外で離れた空間に設けることができる。前記第２の金具６２の押さえ部６２２はＬ字状の屈曲形態をなして第２のストッパ８８を回り込み第２のストローク空間８６に差し込まれて、第２の金具６２の押さえ部６２２及び第２の偏位室８５内に位置する第２の付勢手段７２を、リード線端子が第２の線挿入口１８から第２の収容孔１６内に挿入される経路以外で離れた空間に設けることができる。そのため、各等リード線端子の挿入は、第１の付勢手段７１及び第２の付勢手段７２の操作に影響及び干渉することはない。
【００２８】
図６を参照されたい。説明によれば、前記コンタクト部４１２、４２２及び導電性素子３の押動経路はいずれも第１の付勢手段７１、第２の付勢手段７２の所在位置に対して偏って設けられて、コンタクト部４１２、コンタクト部４２２及び導電性素子３の押動経路に用いられる空間、及び第１の付勢手段７１、第２の付勢手段７２の設置空間がそれぞれ互いに偏る位置ずれ空間を活用することで、体積の増加を減らしている。具体的な実施例において、前記第１の通電端子４１のコンタクト部４１２には第１の付勢手段７１に対向する欠け口４１３が設けられて、導電性素子３の一端及び第１の通電端子４１のコンタクト部４１２の両者と第１の付勢手段７１とを互いに偏らせて配置している。該第２の通電端子４２のコンタクト部４２２には第２の付勢手段７２に対向する欠け口４２３が設けられて、導電性素子３の他端及び第２の通電端子４２のコンタクト部４２２の両者と第２の付勢手段７２とを互いに偏らせて配置している。
【００２９】
使用に際しては、まず第１の螺着部材５１、第２の螺着部材５２をネジ止め孔４１１、４２１から緩めると、第１の螺着部材５１が第１の金具６１の押さえ部６１２に伴って、第１の付勢手段７１により第１の螺着部材５１がネジ止め孔４１１に螺合するのとは反対方向へ駆動されるとともに、第１の螺着部材５１は第１の金具６１のガイド部６１１に伴って、第１の収容孔１５内壁のガイド溝１５１にて第１の螺着部材５１がネジ止め孔４１１に螺合するのとは反対方向に案内されて、第１の螺着部材５１がネジ止め孔４１１から離れることで第１の通電端子４１との間に隙間ｈが形成される（図５に示す通り）。同時に、第２の螺着部材５２が第２の金具６２の押さえ部６２２に伴って、第２の付勢手段７２により第２の螺着部材５２がネジ止め孔４２１に螺合するのとは反対方向に駆動されるとともに、第２の螺着部材５２は第２の金具６２のガイド部６２１に伴って、第２の収容孔１６内壁のガイド溝１６１にて第２の螺着部材５２がネジ止め孔４２１に螺合するのとは反対方向に案内されて、第２の螺着部材５２がネジ止め孔４２１から離れることで第２の通電端子４２との間に隙間（前記隙間ｈと等しい）が形成される。
【００３０】
続いて、外部に電線が圧着されている各種タイプのリード線端子を第１の線挿入口１７及び第２の線挿入口１８に挿入することができるが、例えば外部の第１の丸形リード線端子９１を第１の線挿入口１７から第１の収容孔１５内に挿入して、第１の丸形リード線端子９１を、第１の螺着部材５１と第１の通電端子４１との間の隙間ｈに挿入するとともに、第１の螺着部材５１を第１の通電端子４１のネジ止め孔４１１に螺着し直して、第１の丸形リード線端子９１を第１の螺着部材５１の外周に固定して、第１の丸形リード線端子９１を第１の螺着部材５１を介して第１の通電端子４１に電気的に接続する。その後、外部の第２の丸形リード線端子９２を第２の線挿入口１８から第２の収容孔１６内に挿入して、第２の丸形リード線端子９２を、第２の螺着部材５２と第２の通電端子４２との間の隙間に挿入するとともに、第２の螺着部材５２を第２の通電端子４２のネジ止め孔４２１に螺着し直して、第２の丸形リード線端子９２を第２の螺着部材５２の外周に固定して、第２の丸形リード線端子９２を第２の螺着部材５２を介して第２の通電端子４２に電気的に接続する。このように、押しボタン２を押下することで、導電性素子３の両端が押しボタン２により連動して第１の通電端子４１、第２の通電端子４２のコンタクト部４１２、４２２に接離して、第１の通電端子４１と第２の通電端子４２とを通電又は遮断する。
【００３１】
このように理解できることは、第１の金具６１、第２の金具６２のガイド部６１１、ガイド部６２１が、第１の螺着部材５１、第２の螺着部材５２がネジ止め孔４１１、４２１に螺合するのとは反対方向に延在して形成されて、そして第１の金具６１、第２の金具６２が第１の収容孔１５、第２の収容孔１６の径方向に偏って延在して形成されている押さえ部６１２、６２２によって、ガイド部６１１、６２１がネジ（第１の螺着部材５１、第２の螺着部材５２）の持ち上がりを案内するためのストロークは、既存のネジ頭部５１２、５２２が通過すべき経路と重複していることから、従来のネジのガイド条及びスプリングと通電端子との間にて端子台全体を大型化させない状況で干渉が生じてしまうという不具合を根本的に途絶して、丸形端子を使用した結線の利便性を図るとともに、製品全体の寸法をコンパクトに維持することができるということである。
【００３２】
そして説明すべきは、第１の偏位室８２、第２の偏位室８５に第１の付勢手段７１、第２の付勢手段７２を収容するという設計により、導電性素子３、第１の通電端子４１及び第２の通電端子４２と、第１の付勢手段７１、第２の付勢手段７２及び押さえ部６１２、６２２との間に干渉が生じるのを防止する効果を高めて、同時に第１の偏位室８２、第２の偏位室８５と第１の収容孔１５、第２の収容孔１６との間の第１のストローク空間８３、第２のストローク空間８６により第１の金具６１、第２の金具６２の押さえ部６１２、６２２を案内して、第１の螺着部材５１、第２の螺着部材５２の移動安定性を更に向上させることができるということである。しかも、前記第１のストッパ８７、第２のストッパ８８での遮断、及び第１の偏位室８２、第２の偏位室８５を設置していることから、各種タイプのリード線端子を第１の収容孔１５、第２の収容孔１６内に挿入するときに、第１の付勢手段７１、第２の付勢手段７２の伸縮経路と交差及び干渉することはないため、第１の付勢手段７１、第２の付勢手段７２の伸縮運動の滑らかさ及び信頼性を向上している。
【００３３】
また、前記第１の通電端子４１、第２の通電端子４２のコンタクト部４１２、４２２はその欠け口４１３、４２３によりチャンバー１０内で偏って配置される設定であることから、他側の空間が生じて、第１の付勢手段７１、第２の付勢手段７２を収容することができ、第１の通電端子４１、第２の通電端子４２のコンタクト部４１２、４２２及び導電性素子３と第１の付勢手段７１、第２の付勢手段７２の設置空間とが互いに重複するので、製品としての高さ、幅の寸法を増加させなくともよい。更に、第１の金具６１、第２の金具６２はネジのネジ溝５１１、５２１とネジ頭部５１２、５２２との間の周回溝５１３、５２３に装着されているため、第１の金具６１、第２の金具６２が装着されているネジであっても、ネジ溝５１１、５２１のねじ切り作業時に、第１の金具６１、第２の金具６２の押さえ部６１２、６２２とガイド部６１１、６２１との干渉を受けず、ネジのネジ溝５１１、５２１をねじ切りして、第１の金具６１、第２の金具６２が結合された状態で同一工程にて並行することができ、ねじ切り後に第１の金具６１、第２の金具６２を組付ける煩雑な工程を節約して、生産効率を効果的に向上することができる。
【００３４】
上記したものは、本考案の好ましい実施例に過ぎず、本考案を限定するためものではなく、本考案に開示する技術的思想を離れなることなく完成される等価の付加又は置換は、いずれも後述の実用新案登録請求の範囲に含まれるはずである。
【符号の説明】
【００３５】
１、１ａ                            ハウジング
１０                                チャンバー
１１                             前端
１２                             後端
１３、１４                     側端
１５                                第１の収容孔
１５ａ、１６ａ                      収容孔
１５１、１６１、１５１ａ、１６１ａ  ガイド溝
１６                                第２の収容孔
１７                                第１の線挿入口
１７ａ、１８ａ                      線挿入口
１８                                第２の線挿入口
２、２ａ                            押しボタン
２１、２２、２１ａ、７０ａ          スプリング
３、３ａ                            導電性素子
４１、４１ａ                        第１の通電端子
４１１、４２１、４１１ａ、４２１ａ  ネジ止め孔
４１２、４２２、４１２ａ、４２２ａ  コンタクト部
４１３、４２３                      欠け口
４２、４２ａ                        第２の通電端子
５１                                第１の螺着部材
５１ａ、５２ａ                      ネジ
５１１、５２１                      ネジ溝
５１２、５２２                      ネジ頭部
５１３、５２３                      周回溝
５２                                第２の螺着部材
６１                                第１の金具
６１ａ、６２ａ                      金具
６１１、６２１                      ガイド部
６１１ａ、６２１ａ                  ガイド条
６１２、６２２                      押さえ部
６２                                第２の金具
６３、６４                          スプリングワッシャ
７１                                第１の付勢手段
７２                                第２の付勢手段
８１                                第１のセパレータ
８２                                第１の偏位室
８３                                第１のストローク空間
８４                                第２のセパレータ
８５                                第２の偏位室
８６                                第２のストローク空間
８７                                第１のストッパ
８８                                第２のストッパ
９１                                第１の丸形リード線端子
９１ａ、９２ａ                      リード線端子
９２                                第２の丸形リード線端子
ｈ、Ｈ                              隙間
【図１】
0003198296.tif 000003
【図２】
0003198296.tif 000004
【図３】
0003198296.tif 000005
【図４】
0003198296.tif 000006
【図５】
0003198296.tif 000007
【図６】
0003198296.tif 000008
【図７】
0003198296.tif 000009